(57)【特許請求の範囲】
【請求項１】
多層建築物に沿って上下移動し、前記多層建築物の所定の階層部分の外周を覆う仮囲いを備えた多層建築物の仮囲い装置において、
前記多層建築物の外周部に周方向に間隔をおいて固定された前記多層建築物の最下階層から最上階層にまで至る高さの複数の固定建枠と、該各固定建枠の互いに対向する側面部に支持された昇降ガイドと、該互いに対向する一対の昇降ガイドに案内されて上下移動する可動パネル支持体と、該可動パネル支持体を上下移動させる駆動手段と、該可動パネル支持体の外側面に固定された外部パネルとを備え、
該外部パネルは、隣接する前記固定建枠の外側面部に跨る幅に形成され、前記多層建築物の所定の階層部分の外周を覆う仮囲いを構成するようにしたことを特徴とする多層建築物の仮囲い装置。
【請求項２】
前記可動パネル支持体は、前記各昇降ガイドに案内されて上下移動する昇降台と、該両昇降台に跨って支持された枠組み足場とを備え、前記外部パネルは、前記枠組み足場の外側面に固定されている請求項１に記載の多層建築物の可動式仮囲い装置。
【請求項３】
前記駆動手段は、前記昇降ガイドに沿って形成されたラックギアと、該ラックギアと互いに噛み合った状態で前記昇降台に回転可能に支持されたピニオンギアと、該ピニオンギアを回転させる動力源とを備えている請求項２に記載の多層建築物の可動式仮囲い装置。
【請求項４】
多層建築物の外周部に該多層建築物の最下階層から最上階層に至る複数の固定建枠を周方向に間隔をおいて設置するとともに、該各固定建枠の互いに対向する側面部に前記多層建築物の最上階に至る高さの昇降ガイドを支持させた後、最下層位置において前記昇降ガイドに案内された状態で上下移動する可動パネル支持体を取り付けるとともに、その可動パネル支持体の外側面に前記固定建枠の外側面部に跨る幅の外部パネルを固定し、
しかる後、前記各可動パネル支持体及び各外部パネルを最上階層位置まで移動させ、前記各外部パネルの側縁を隣り合う外部パネルの側縁と互いに突き合わせることにより、前記多層建築物の最上階層部分の外周を覆う仮囲いを形成し、
しかる後、最上階層より階層毎に前記多層建築物を解体する工程と、前記各可動パネル支持体を下層部分位置まで移動させ、前記多層建築物の所定の階層部分の外周を覆う仮囲いを形成する工程とを繰り返すことを特徴とする多層建築物の解体方法。
【発明の詳細な説明】
【技術分野】
【０００１】
本発明は、主に高層ビル等の多層建築物の解体作業に際し、粉塵等の飛散を防止するための多層建築物の仮囲い装置及び多層建築物の解体方法に関する。
【背景技術】
【０００２】
主に高層ビル等の多層建築物の解体工事を行う場合には、多層建築物を仮囲いで囲い、解体の際に生じる粉塵等の飛散及び解体資材や作業員の落下を防止し、安全を確保するとともに、周辺環境への影響を考慮している。
【０００３】
従来、このような仮囲いとしては、多層建築物の周囲に最上層に至る足場からなる建て枠を設置し、その周囲を養生シートで覆い、解体施工の進捗に伴い、上層から順次建て枠を解体しながら解体工事を進めるようにしたものが一般に知られている。
【０００４】
一方、この様な仮囲いには、多層建築物の解体対象となる複数階層部分の周囲を覆う仮囲いと、仮囲いを昇降させる昇降装置とを備え、仮囲いを最上階より順次下降させつつ解体作業を行うようにした仮囲い装置も知られている（例えば、特許文献１を参照）。
【先行技術文献】
【特許文献】
【０００５】
【特許文献１】特開２００２−３４９０７９号公報
【発明の概要】
【発明が解決しようとする課題】
【０００６】
しかしながら、上述の如き従来の多層建築物の全層全周を建て枠で囲むものは、建て枠を構成する足場及び養生シートの使用量が多くなり、また、足場の解体及び養生シートの取り外しに時間を要するため、その分費用が嵩むという問題があった。
【０００７】
一方、従来の複数階層を囲む昇降式の仮囲い装置では、仮囲いを最上階まで引き揚げるためのクレーンやウィンチなどの揚重設備を必要とし、その分、費用が嵩むという問題があり、また、施工現場の敷地状況によっては、クレーン等の揚重設備を設けることが出来ず、適用できないおそれがあった。
【０００８】
また、従来の昇降式の仮囲い装置では、仮囲いを多層建築物に固定したガイド部材で支持する構造であるため、構造上強固な鉄骨製のガイド部材等を必要とし、また、仮囲いを盛り替える度、即ち、仮囲いを昇降させる度にこれらのガイド部材も移動させる必要等があることから、作業効率が悪く、また、装置が複雑且つ大掛かりなものとなり、費用も嵩むという問題があった。
【０００９】
そこで、本発明は、このような従来の問題に鑑み、クレーン等の揚重設備が不要で且つ、工費を抑えることができる多層建築物の仮囲い装置及び多層建築物の解体方法の提供を目的としてなされたものである。
【課題を解決するための手段】
【００１０】
上述の如き従来の問題を解決するための請求項1に記載の発明の特徴は、多層建築物に沿って上下移動し、前記多層建築物の所定の階層部分の外周を覆う仮囲いを備えた多層建築物の仮囲い装置において、前記多層建築物の外周部に周方向に間隔をおいて固定された前記多層建築物の最下階層から最上階層にまで至る高さの複数の固定建枠と、該各固定建枠の互いに対向する側面部に支持された昇降ガイドと、該互いに対向する一対の昇降ガイドに案内されて上下移動する可動パネル支持体と、該可動パネル支持体を上下移動させる駆動手段と、該可動パネル支持体の外側面に固定された外部パネルとを備え、該外部パネルは、隣接する前記固定建枠の外側面部に跨る幅に形成され、前記多層建築物の所定の階層部分の外周を覆う仮囲いを構成するようにした多層建築物の仮囲い装置にある。
【００１１】
請求項２に記載の発明の特徴は、請求項１の構成に加え、前記可動パネル支持体は、前記各昇降ガイドに案内されて上下移動する昇降台と、該両昇降台に跨って支持された枠組み足場とを備え、前記外部パネルは、前記枠組み足場の外側面に固定されていることにある。
【００１２】
請求項３に記載の発明の特徴は、請求項２の構成に加え、前記駆動手段は、前記昇降ガイドに沿って形成されたラックギアと、該ラックギアと互いに噛み合った状態で前記昇降台に回転可能に支持されたピニオンギアと、該ピニオンギアを回転させる動力源とを備えていることにある。
【００１３】
請求項４に記載の発明の特徴は、多層建築物の外周部に該多層建築物の最下階層から最上階層に至る複数の固定建枠を周方向に間隔をおいて設置するとともに、該各固定建枠の互いに対向する側面部に前記多層建築物の最上階に至る高さの昇降ガイドを支持させた後、最下層位置において前記昇降ガイドに案内された状態で上下移動する可動パネル支持体を取り付けるとともに、その可動パネル支持体の外側面に前記固定建枠の外側面部に跨る幅の外部パネルを固定し、しかる後、前記各可動パネル支持体及び各外部パネルを最上階層位置まで移動させ、前記各外部パネルの側縁を隣り合う外部パネルの側縁と互いに突き合わせることにより、前記多層建築物の最上階層部分の外周を覆う仮囲いを形成し、しかる後、最上階層より階層毎に前記多層建築物を解体する工程と、前記各可動パネル支持体を下層部分位置まで移動させ、前記多層建築物の所定の階層部分の外周を覆う仮囲いを形成する工程とを繰り返す多層建築物の解体方法にある。
【発明の効果】
【００１４】
本発明に係る多層建築物の仮囲い装置は、上述したように、多層建築物に沿って上下移動し、前記多層建築物の所定の階層部分の外周を覆う仮囲いを備えた多層建築物の仮囲い装置において、前記多層建築物の外周部に周方向に間隔をおいて固定された前記多層建築物の最下階層から最上階層にまで至る高さの複数の固定建枠と、該各固定建枠の互いに対向する側面部に支持された昇降ガイドと、該互いに対向する一対の昇降ガイドに案内されて上下移動する可動パネル支持体と、該可動パネル支持体を上下移動させる駆動手段と、該可動パネル支持体の外側面に固定された外部パネルとを備え、該外部パネルは、隣接する前記固定建枠の外側面部に跨る幅に形成され、前記多層建築物の所定の階層部分の外周を覆う仮囲いを構成するようにしたことにより、クレーン等の揚重設備を用いることなく、仮囲いを最上階層まで引き揚げることができ、また、仮囲いを盛り替える度、即ち、仮囲いを昇降させる度にガイド部材を移動させる必要もなく、効率よく作業を行えるとともに、施工費用の低減を図ることができる。
【００１５】
また、本発明において、前記可動パネル支持体は、前記各昇降ガイドに案内されて上下移動する昇降台と、該両昇降台に跨って支持された枠組み足場とを備え、前記外部パネルは、前記枠組み足場の外側面に固定されていることにより、簡易な構造で外部パネルを移動可能に支持することができ、足場としても利用することができる。
【００１６】
更に、本発明において、前記駆動手段は、前記昇降ガイドに沿って形成されたラックギアと、該ラックギアと互いに噛み合った状態で前記昇降台に回転可能に支持されたピニオンギアと、該ピニオンギアを回転させる動力源とを備えていることにより、発進・停止等の制御が容易で、外部パネルを支持させた複数の可動パネル支持体の位置を同期して制御することができる。
【００１７】
また、本発明に係る多層建築物の解体方法では、多層建築物の外周部に該多層建築物の最下階層から最上階層に至る複数の固定建枠を周方向に間隔をおいて設置するとともに、該各固定建枠の互いに対向する側面部に前記多層建築物の最上階に至る高さの昇降ガイドを支持させた後、最下層位置において前記昇降ガイドに案内された状態で上下移動する可動パネル支持体を取り付けるとともに、その可動パネル支持体の外側面に前記固定建枠の外側面部に跨る幅の外部パネルを固定し、しかる後、前記各可動パネル支持体及び各外部パネルを最上階層位置まで移動させ、前記各外部パネルの側縁を隣り合う外部パネルの側縁と互いに突き合わせることにより、前記多層建築物の最上階層部分の外周を覆う仮囲いを形成し、しかる後、最上階層より階層毎に前記多層建築物を解体する工程と、前記各可動パネル支持体を下層部分位置まで移動させ、前記多層建築物の所定の階層部分の外周を覆う仮囲いを形成する工程とを繰り返すことにより、クレーン等の揚重設備を用いることなく、仮囲いを最上階層まで引き揚げることができ、また、仮囲いを盛り替える度、即ち、仮囲いを昇降させる度にガイド部材を移動させる必要もなく、効率よく作業を行えるとともに、施工費用の低減を図ることができる。
【図面の簡単な説明】
【００１８】
【図１】本発明に係る多層建築物の仮囲い装置の概略を示す正面図である。
【図２】同上の概略平面図である。
【図３】図１中の仮囲い装置を示す部分拡大正面図である。
【図４】同上の昇降時の状態を示す部分拡大正面図である。
【図５】図３中の昇降台部分の概略を示す正面図である。
【図６】図１中の連結部材の他の一例を示す部分拡大平面図である。
【図７】本発明に係る多層建築物の解体方法の各工程を示す概略正面図である。
【発明を実施するための形態】
【００１９】
次に、本発明に係る多層建築物の仮囲い装置の実施態様を図１〜図６に示した実施例に基づいて説明する。尚、図中符号１は高層ビル等の多層建築物、符号２は仮囲い装置である。
【００２０】
この仮囲い装置２は、多層建築物１の外周部に周方向に間隔をおいて固定された複数の固定建枠３，３...と、各固定建枠３，３...の互いに対向する側面部に支持された昇降ガイド４，４と、互いに対向する一対の昇降ガイド４，４に案内されて上下移動する可動パネル支持体５と、可動パネル支持体５を上下移動させる駆動手段と、可動パネル支持体５の外側面に固定された外部パネル６とを備え、各外部パネル６からなる仮囲い７が多層建築物１に沿って上下移動し、多層建築物１の所定の階層部分の外周を囲み、周辺への粉塵等の飛散及び解体資材や作業員の落下を防止するようにしている。
【００２１】
各固定建枠３，３...は、図１〜図３に示すように、複数の足場ユニット１０，１０...を上下方向に連設して多層建築物１の最下階層から最上階層に至る高さに形成され、各固定建枠３，３...間に所定の間隔を置いて上下方向に貫通した昇降空間１１が形成されている。
【００２２】
足場ユニット１０，１０...は、汎用の門型足場により構成され、間隔を置いて配置された門型枠１０ａ，１０ａ間に足場板１０ｂが架設され、筋交い１０ｃ，１０ｃで補強されている。
【００２３】
各足場ユニット１０，１０...は、固定部材（図示せず）を介して多層建築物１の外側面に固定され、固定建枠３，３...が多層建築物１に支持され安定して設置されるようになっている。
【００２４】
一方、隣り合う固定建枠３，３...の対向する各側面部には、最下階層より最上階層にまで至る柱状の昇降ガイド４，４が支持部材１２を介して支持されている。
【００２５】
この昇降ガイド４，４は、上下方向に沿ってガイド部材４ａ，４ａを上下に連結することにより柱状に形成されている。
【００２６】
また、昇降ガイド４，４には、ガイド部材４ａ，４ａの連結に合わせて継ぎ足され、昇降ガイド４，４に沿って上下に連続するラックギア１３が備えられている。
【００２７】
可動パネル支持体５は、各昇降ガイド４，４に案内されて上下移動する昇降台１４，１４と、両昇降台１４，１４に跨って支持された枠組み足場１５とを備え、駆動手段により昇降台１４，１４を上下移動させることにより昇降ガイド４，４に沿って移動できるようになっている。
【００２８】
枠組み足場１５は、固定建枠３に用いたものと同様の複数の足場ユニット１０，１０（本実施例では２段）を上下方向に連設し、仮囲い７で囲む所定の複数階層分の高さに形成され、その外側面に外部パネル６が固定されている。
【００２９】
駆動手段は、図５に示すように、昇降ガイド４，４に沿って設置されたラックギア１３と、ラックギア１３と噛合った状態で昇降台１４に支持されたピニオンギア１６と、ピニオンギア１６を回転駆動させる駆動モータ１７とを備えたラック＆ピニオン機構を成し、ピニオンギア１６を駆動モータ１７で回転させることにより、各昇降台１４，１４を昇降させるようになっている。
【００３０】
外部パネル６は、枠組み足場１５の外側面を覆うように固定され、その幅は、隣接する固定建枠３，３...の外側面部に跨る幅に形成され、互いに隣り合う外部パネル６の側端縁と互いに突き合わされ、各外部パネル６，６...が周方向に連続することで、多層建築物１の所定階層部分を全周に渡って囲む仮囲い７が形成される。
【００３１】
尚、外部パネル６の隣接する固定建枠３に跨る部分の幅は、特に限定されず、隣接する固定建枠３の一部に跨る幅であってもよく、隣接する固定建枠３の幅と同じ又はそれ以上の幅であってもよい。
【００３２】
例えば、仮囲い７の各辺両端部に配置される外部パネル６は、外側に向けて大きく張り出し、且つ、仮囲い７の四隅部が互いに周方向に連続するようになっている。
【００３３】
この外部パネル６には、隣り合う外部パネル６を連結する連結部材１８を備え、側端縁が突き合わされた状態で互いに移動が規制され、仮囲い７の状態を維持できるようにしている。
【００３４】
連結部材１８は、樹脂材等からなるＵ字溝状に形成され、隣り合う外部パネル６，６の何れか一方の下端部に固定されている。そして、隣り合う外部パネル６，６の側縁を突き合わせた際、一方の外部パネル６に支持された連結部材１８に他方の外部パネル６の下端部が嵌まり込み、両者６，６を連結するようになっている。
【００３５】
尚、連結部材の態様は、上述の実施例に限定されず、例えば、図６（ａ）に示すよう、ゴム等の弾性材からなる断面コ字溝状に形成された連結部材２０を用い、この連結部材２０を外部パネル６の側縁端に縦向きに備え、互いに上下移動する際には干渉せず、突き合わされた状態にある場合には、その板厚方向の移動を互いに規制する構造であってもよく、図６（ｂ）に示すように、隣り合う外部パネル６，６間に跨ぐ閂状の連結部材２１で互いに着脱可能に連結するものであってもよい。
【００３６】
このように構成された多層建築物の仮囲い装置２は、昇降ガイド４，４に案内されて上下に移動する可動パネル支持体５に支持させた外部パネル６が最下階層から最上階層部分まで自走できるので、クレーン等の揚重設備を必要とせず、施工現場の敷地状況に依らずに適用することができる。
【００３７】
また、この仮囲い装置２では、仮囲い７を昇降させる際に昇降ガイド４，４を盛替えする必要がなく、その分構成を簡略することができ、設備費の低減を図ることができる。
【００３８】
更に、この仮囲い装置２では、従来の建築物全体を建枠で囲む仮囲いに対し、建て枠を構成する足場及び養生シートの使用量を抑えることができ、また、足場の解体及び養生シートの取り外しの時間を短縮でき、費用の低減を図ることができる。
【００３９】
次に、この仮囲い装置２を使用した多層建築物の解体方法について説明する。尚、上述の実施例と同様の構成には、同一符号を付して説明を省略する。
【００４０】
この多層建築物１の解体工法は、多層建築物１の外側に所定の複数階層分を囲む仮囲い７を有する仮囲い装置２を設置し、仮囲い７を最上階層位置まで移動させた後、最上階層から順次解体作業を行うとともに、解体作業の進捗に合わせて仮囲い７を下降させる。
【００４１】
具体的には、まず、多層建築物１の外周部に地上から順次足場ユニット１０，１０...を組み上げ、多層建築物１の最下階層から最上階層に至る固定建枠３，３...を周方向に間隔をおいて全周に設置する。
【００４２】
固定建枠３，３...を構成する各足場ユニット１０，１０...は、固定部材１２を介して多層建築物１の外側面に固定され、多層建築物１に支持され安定して設置される。
【００４３】
次に、各固定建枠３，３...の互いに対向する側面部に沿ってガイド部材４ａ，４ａを最下階層位置から順次連結し、多層建築物１の最上階に至る高さの昇降ガイド４，４を設置するとともに、支持部材１２を介して昇降ガイド４，４を固定建枠３，３...の側面部に固定する。
【００４４】
昇降ガイド４，４には、昇降ガイド４，４を構成するガイド部材４ａ，４ａの連結とともに、ラックギア１３も連結しラックギア１３を上下に向けて設置する。
【００４５】
次に、最下層部において、昇降台１４，１４を各昇降ガイド４，４に昇降可能に取り付け、それぞれ動作確認をするとともに、互いに対向するように配置された各昇降ガイド４，４に支持された昇降台１４，１４が互いに同期するように調整する。
【００４６】
また、互いに対向するように配置された各昇降ガイド４，４に支持された昇降台１４，１４間に跨がらせて枠組み足場１５を支持させて可動パネル支持体５を形成する。
【００４７】
更に、その可動パネル支持体５の外側面に固定建枠３，３...の外側面部に跨る幅の外部パネル６を固定し、最下階層部分において互いに隣り合う外部パネル６の側端縁を互いに突き合わせ、各外部パネル６によって多層建築物１の最下階層部分の複数階層部分を囲む仮囲い７を構築する。
【００４８】
この状態において、仮囲い７全体の歪みや各外部パネル６間の突き合わせ及び連結の状態を確認し、問題がある場合には外部パネル６の取り付け等を調整する。
【００４９】
次に、調整が完了した後、図７(a)に示すように、駆動手段によって各可動パネル支持体５を昇降ガイド４，４に案内させつつ最上階層位置まで移動させ、各外部パネル６を最上階層位置まで移動させる。
【００５０】
尚、各可動パネル支持体５及び外部パネル６の移動は、図４に示すように、可動パネル支持体５毎に移動させてもよく、各可動パネル支持体５を同期させて仮囲い７全体が移動するようにしてもよい。
【００５１】
そして、最上階層位置において各外部パネル６の側縁を隣り合う外部パネル６の側縁と互いに突き合わせ、連結することにより、多層建築物１の最上階層部分の外周を覆う仮囲い７を形成する。
【００５２】
次に、多層建築物１内に設置された簡易エレベータ等を使用して解体用重機や小型クローラクレーン等のその他の機材を最上階に移動させ、最上階層から順次コンクリート躯体部分の解体を開始する。
【００５３】
その際、最上階層位置における複数階層分は、全周が仮囲い７に囲まれているので、コンクリート躯体部分の解体により生じた解体資材等の飛散・落下防止及び騒音防止された状態にある。
【００５４】
そして、最上階の躯体解体作業及び解体資材の搬出作業が終了したら、簡易エレベータ等を使用して解体用重機等をその下の階層に移動させる。
【００５５】
次いで、図７（ｂ）に示すように、各可動パネル支持体５を下降させ、仮囲い７を構成する各外部パネル６を１階層分だけ下降させる。
【００５６】
そして、図７（ｃ）に示すように、全ての可動パネル支持体５の下降が完了し、仮囲い７が下降したら、昇降ガイド４，４の上端部分を、解体された最上階の高さ分だけ取り外すとともに、固定建枠３，３...からも取り外し、多層建築物１等の内部に設置された簡易エレベータ等を用いて撤去する。
【００５７】
更に、各固定建枠３，３...を構成する上端部分の足場ユニット１０，１０...を解体された最上階の高さ分に合わせて取り外すとともに、その足場ユニット１０，１０...を多層建築物１等の内部に設置された簡易エレベータ等を用いて撤去する。
【００５８】
そして、多層建築物１の各階層を解体する毎に、各可動パネル支持体５を下層部分位置まで移動させ、多層建築物１の所定の階層部分の外周を覆う仮囲い７を形成する作業と、既存の最上部分の昇降ガイド４，４を構成するガイド部材４ａ，４ａ及び固定建枠３，３...を構成する足場ユニット１０，１０...を撤去する作業とを繰り返す。
【００５９】
このようにして解体しようとする多層建築物１の最上階の解体作業開始から１階までの解体工程と、仮囲い７の移動工程とを繰り返し行い、最後に地上階を解体した後、地下部分の解体を実施して予定した多層建築物１の解体を終了する。
【符号の説明】
【００６０】
１  多層建築物
２  仮囲い装置
３  固定建枠
４  昇降ガイド
５  可動パネル支持体
６  外部パネル
７  仮囲い
１０  足場ユニット
１１  昇降空間
１２  支持部材
１３  ラックギア
１４  昇降台
１５  枠組み足場
１６  ピニオンギア
１７  駆動モータ
１８  連結部材
【図１】
0006635377.tif 000002
【図２】
0006635377.tif 000003
【図３】
0006635377.tif 000004
【図４】
0006635377.tif 000005
【図５】
0006635377.tif 000006
【図６】
0006635377.tif 000007
【図７】
0006635377.tif 000008